(57)【要約】【課題】  十分な節水効果が得られることは勿論のこと、通水時の雑音や振動を低減できると共に、赤錆や水垢等の異物による目詰まりの発生を抑える。【解決手段】  水栓、シャワーヘッド、配管、管継ぎ手又はバルブの内部に組み込まれて水量を抑制する節水具１であって、前記節水具１は、円柱状の節水部１ａと、節水部１ａの流入側外周面に一体的に形成されたフランジ部１ｂと、節水部１ａの流入側端面に一体的に形成されて節水部１ａの上流側へ突出する突部１ｃとから成り、前記突部１ｃ及び節水部１ａに、突部１ｃの表面から節水部１ａの流出側端面に向けて少なくとも二本の貫通状の通水孔１ｄを形成する。【選択図】      図１
0003154586.tif 000002
【実用新案登録請求の範囲】
【請求項１】
水栓、シャワーヘッド、配管、管継ぎ手又はバルブの内部に組み込まれて水量を抑制する節水具（１）であって、前記節水具（１）は、円柱状の節水部（１ａ）と、節水部（１ａ）の流入側外周面に一体的に形成されたフランジ部（１ｂ）と、節水部（１ａ）の流入側端面に一体的に形成されて節水部（１ａ）の上流側へ突出する突部（１ｃ）とから成り、前記突部（１ｃ）及び節水部（１ａ）に、突部（１ｃ）の表面から節水部（１ａ）の流出側端面に向けて少なくとも二本の貫通状の通水孔（１ｄ）を形成したことを特徴とする節水具。
【請求項２】
水栓、シャワーヘッド、配管、管継ぎ手又はバルブの内部に組み込まれて水量を抑制する節水具（１）であって、前記節水具（１）は、円柱状の節水部（１ａ）と、節水部（１ａ）の流入側外周面に一体的に形成されたフランジ部（１ｂ）と、節水部（１ａ）の流入側端面に一体的に形成されて節水部（１ａ）の上流側へ突出する突部（１ｃ）とから成り、前記突部（１ｃ）及び節水部（１ａ）に、突部（１ｃ）の頂部から節水部（１ａ）の流出側端面に向けて一本の貫通状の通水孔（１ｄ）を形成したことを特徴とする節水具。
【請求項３】
突部（１ｃ）の形状を円錐状又は半球状とすると共に、当該突部（１ｃ）を節水部（１ａ）の軸線（ａ）上の位置に形成したことを特徴とする請求項１又は請求項２に記載の節水具。
【請求項４】
少なくとも二本の通水孔（１ｄ）は、節水部（１ａ）の軸線（ａ）と平行で且つ節水部（１ａ）の軸線（Ａ）の周りに等角度間隔で配設されていることを特徴とする請求項１に記載の節水具。
【請求項５】
少なくとも二本の通水孔（１ｄ）は、節水部（１ａ）の軸線（ａ）の周りに等角度間隔で且つ末広がりに配設されていることを特徴とする請求項１に記載の節水具。
【請求項６】
少なくとも二本の通水孔（１ｄ）は、節水部（１ａ）の軸線（ａ）の周りに等角度間隔で且つ末広がりに配設されていると共に、各通水孔（１ｄ）の流入側の開口と流出側の開口とが突部（１ｃ）及び節水部（１ａ）の円周方向で且つ同じ方向へずれて配置されていることを特徴とする請求項１に記載の節水具。
【考案の詳細な説明】
【技術分野】
【０００１】
本考案は、台所や洗面所等の水栓、浴室のシャワーヘッド、給水用の配管、配管の管継ぎ手、トイレのフラッシュバルブ等の内部に組み込まれ、水量を抑制して節水効果を得るようにした節水具の改良に係り、十分な節水効果が得られることは勿論のこと、通水時の雑音や振動を低減できると共に、赤錆や水垢等の異物による目詰まりの発生を抑えられるようにした節水具に関するものである。
【背景技術】
【０００２】
従来、この種の節水具としては、水量を抑制するために貫通状の細い通水孔を形成したものがあり、流入側端面を平坦な平面状に形成した節水具（例えば、特許文献１）や流入側端面を凹状に形成した節水具（例えば、特許文献２）が知られている。
【０００３】
即ち、前者の節水具１０は、図１１に示す如く、円柱状の節水部１０ａと、節水部１０ａの流入側外周面に一体的に形成されたフランジ部１０ｂとから成り、前記節水部１０ａに流入側から流出側へ貫通する二本の通水孔１０ｃを末広がり状に形成したものである。
【０００４】
又、後者の節水具１０は、図１２に示す如く、円柱状の節水部１０ａと、節水部１０ａの流入側外周面に一体的に形成されたフランジ部１０ｂとから成り、前記節水部１０ａの流入側端面と流出側端面とにそれぞれ凹部１０ｄを形成し、流入側の凹部１０ｄと流出側の凹部１０ｄとを二本の通水孔１０ｃで連通させたものである。
【０００５】
そして、前記両節水具１０は、何れも水栓やシャワーヘッド等の内部に組み込まれており、水を細い通水孔１０ｃを通過させることによって水量を抑制することができるようになっている。
【０００６】
ところで、前者の節水具１０は、流入側端面が平坦な平面状に形成されているため、流れて来た水が節水具１０の通水孔１０ｃ内へ流入する際に、大部分の水が節水具１０の平坦な流入側端面に垂直に衝突し、衝撃音や振動を発生してしまうと云う問題がある。特に、水圧が高い場合には、この衝撃音や振動が大きくなり、通水時の雑音や振動が気になってしまうことがある。
又、前者の節水具１０は、節水部１０ａの平坦な流入側端面に細い通水孔１０ｃの流入側の開口が形成されているため、水が通水孔１０ｃ内へスムースに流入し難いと云う問題がある。
【０００７】
一方、後者の節水具１０は、節水部１０ａの流入側端面の凹部１０ｄ内に通水孔１０ｃの流入側の開口を形成しているため、流れて来た水が凹部１０ｄを経て通水孔１０ｃ内へスムースに流入することができる反面、通水孔１０ｃの内径よりも大きい赤錆や水垢等の異物が流入した場合には、その異物が前記凹部１０ｄ内に滞留することになり、通水孔１０ｃを塞いでしまうと云う問題が起こる。この場合には、吐出水量が著しく低下したり、或いは水が出なくなる等のトラブルが発生することになる。
【先行技術文献】
【特許文献】
【０００８】
【特許文献１】登録実用新案第２５６２２８３号公報
【特許文献２】登録実用新案第３００６８５０号公報
【考案の概要】
【考案が解決しようとする課題】
【０００９】
本考案は、このような問題点に鑑みて為されたものであり、その目的は、十分な節水効果が得られることは勿論のこと、通水時の雑音や振動を低減できると共に、赤錆や水垢等の異物による目詰まりの発生を抑えられるようにした節水具を提供することにある。
【課題を解決するための手段】
【００１０】
上記目的を達成するために、本考案の請求項１の考案は、水栓、シャワーヘッド、配管、管継ぎ手又はバルブの内部に組み込まれて水量を抑制する節水具であって、前記節水具は、円柱状の節水部と、節水部の流入側外周面に一体的に形成されたフランジ部と、節水部の流入側端面に一体的に形成されて節水部の上流側へ突出する突部とから成り、前記突部及び節水部に、突部の表面から節水部の流出側端面に向けて少なくとも二本の貫通状の通水孔を形成したことに特徴がある。
【００１１】
本考案の請求項２の考案は、水栓、シャワーヘッド、配管、管継ぎ手又はバルブの内部に組み込まれて水量を抑制する節水具であって、前記節水具は、円柱状の節水部と、節水部の流入側外周面に一体的に形成されたフランジ部と、節水部の流入側端面に一体的に形成されて節水部の上流側へ突出する突部とから成り、前記突部及び節水部に、突部の頂部から節水部の流出側端面に向けて一本の貫通状の通水孔を形成したことに特徴がある。
【００１２】
本考案の請求項３の考案は、請求項１又は請求項２に記載の考案に於いて、突部の形状を円錐状又は半球状とすると共に、当該突部を節水部の軸線上の位置に形成したことに特徴がある。
【００１３】
本考案の請求項４の考案は、請求項１に記載の考案に於いて、少なくとも二本の通水孔が、節水部の軸線と平行で且つ節水部の軸線の周りに等角度間隔で配設されていることに特徴がある。
【００１４】
本考案の請求項５の考案は、請求項１に記載の考案に於いて、少なくとも二本の通水孔が、節水部の軸線の周りに等角度間隔で且つ末広がりに配設されていることに特徴がある。
【００１５】
本考案の請求項６の考案は、請求項１に記載の考案に於いて、少なくとも二本の通水孔が、節水部の軸線の周りに等角度間隔で且つ末広がりに配設されていると共に、各通水孔の流入側の開口と流出側の開口とが突部及び節水部の円周方向で且つ同じ方向へずれて配置されていることに特徴がある。
【考案の効果】
【００１６】
本考案の請求項１又は請求項２に係る節水具は、円柱状の節水部の流入側端面に節水部の上流側へ突出する突部を形成し、前記突部及び節水部に、突部の表面から節水部の流出側端面に向けて少なくとも二本の貫通状の通水孔又は突部の頂部から節水部の流出側端面に向けて一本の貫通状の通水孔をそれぞれ形成する構成としているため、当該節水具を水栓やシャワーヘッド等の内部に組み込んで水を流すと、水が節水具の二本の通水孔を通過し、これにより水の流速が上がって従来と変わらない使用感が得られると共に、水量が抑制されて十分な節水効果が得られることになる。
又、本考案の請求項１又は請求項２に係る節水具は、節水部の流入側端面に突部を形成し、当該突部の表面又は頂部に通水孔の流入側の開口を形成しているため、仮に通水孔の内径よりも大きな赤錆や水垢等の異物が流れて来ても、この異物は前記突部に留まらず、突部からずり落ちて突部の基端側に滞留することになる。その結果、本考案の請求項１又は請求項２に係る節水具は、通水孔の流入側の開口が赤錆等の異物で塞がれ難くなり、吐出水量が著しく低下したり、或いは水が出なくなる等のトラブルの発生が少なくなる。
【００１７】
本考案の請求項３乃至請求項６に係る節水具は、上記効果に加えて更に次のような優れた効果を奏することができる。
即ち、本考案の請求項３に係る節水具は、節水部の流入側端面に円錐状又は半球状の突部を形成し、当該突部の表面又は頂部に通水孔の流入側の開口を形成しているため、流れて来た水が通水孔内に流入する際、一部分の水が突部の傾斜した円錐面又は半球面に衝突することで減速され、衝突音や衝撃が小さくなって通水時の雑音や衝撃を低減することができる。
【００１８】
本考案の請求項４に係る節水具は、少なくとも二本の通水孔が、節水部の軸線と平行で且つ節水部の軸線の周りに等角度間隔で配設されているため、十分な流速が得られ、水の威勢を変えずに水量を減らすことができるうえ、仮に一本の通水孔が赤錆等の異物によって閉塞しても、水量がゼロになると云うことがない。
【００１９】
本考案の請求項５に係る節水具は、少なくとも二本の通水孔が、節水部の軸線の周りに等角度間隔で且つ末広がりに配設されているため、各通水孔から吐出された水が広がってスパウト等の内壁面に沿って流れるので、水の流れが乱れることが少なく整流効果があり、雑音や振動が発生しない。又、水量が通水孔によって抑制されているにも拘らず、視覚的にその水量の少なさを感じさせない。
【００２０】
本考案の請求項６に係る節水具は、少なくとも二本の通水孔が、節水部の軸線の周りに等角度間隔で且つ末広がりに配設されていると共に、各通水孔の流入側の開口と流出側の開口とが突部及び節水部の円周方向で且つ同じ方向へずれて配置されているため、各通水孔から吐出された水がねじられて螺旋状の水流となるので、雑音の発生がない。又、水量が通水孔によって抑制されているにも拘らず、水の拡散をスパウト内等で十分に行うことができるので、視覚的にその水量の少なさを感じさせない。
【図面の簡単な説明】
【００２１】
【図１】本考案の第１の実施形態に係る節水具を示し、（Ａ）は節水具の拡大正面図、（Ｂ）は節水具の拡大側面図、（Ｃ）は節水具の拡大平面図、（Ｄ）は節水具の拡大底面図である。
【図２】図１（Ｃ）のイ−イ線断面図である。
【図３】図１（Ｃ）のロ−ロ線断面図である。
【図４】節水具の水栓への組み込み位置を示す分解斜視図である。
【図５】本考案の第２の実施形態に係る節水具を示し、（Ａ）は節水具の拡大正面図、（Ｂ）は節水具の拡大側面図、（Ｃ）は節水具の拡大平面図、（Ｄ）は節水具の拡大底面図である。
【図６】図５（Ｃ）のハ−ハ線断面図である。
【図７】本考案の第３の実施形態に係る節水具を示し、（Ａ）は節水具の拡大正面図、（Ｂ）は節水具の拡大側面図、（Ｃ）は節水具の拡大平面図、（Ｄ）は節水具の拡大底面図である。
【図８】図７（Ｃ）のニ−ニ線断面図である。
【図９】本考案の第４の実施形態に係る節水具を示し、（Ａ）は節水具の拡大正面図、（Ｂ）は節水具の拡大平面図、（Ｃ）は節水具の拡大底面図である。
【図１０】図９（Ｂ）のホ−ホ線断面図である。
【図１１】従来の節水具の拡大正面図である。
【図１２】従来の他の例を示す節水具の拡大縦断面図である。
【考案を実施するための形態】
【００２２】
以下、本考案の実施の形態を図面に基づいて詳細に説明する。
図１乃至図３は本考案の第１の実施形態に係る節水具１を示し、当該節水具１は、真鍮、ステンレス材、青銅等の金属材やポリ塩化ビニル、ポリエステル、ポリプロピレン等のプラスチック材により一体的に形成されており、円柱状の節水部１ａと、節水部１ａの流入側外周面（図１（Ａ）に示す節水部１ａの上端部外周面）に一体的に形成されたフランジ部１ｂと、節水部１ａの流入側端面（図１（Ａ）に示す節水部１ａの上端面）に一体的に形成されて節水部１ａの上流側（図１（Ａ）及び（Ｂ）の上側）へ突出する突部１ｃとから成り、前記突部１ｃ及び節水部１ａに、突部１ｃの表面から節水部１ａの流出側端面（図１（Ａ）に示す節水部１ａの下端面）に向けて二本の貫通状の通水孔１ｄを形成したものである。
【００２３】
前記フランジ部１ｂは、水栓やシャワーヘッド等の内部に節水具１を固定できるようにするためのものであり、水栓の内部やシャワーヘッドの根元部分の内部にパッキンを介して取り付けられる。
【００２４】
又、前記突部１ｃは、節水部１ａの外径よりも若干小さめの円錐状に形成されており、節水部１ａの流入側端面で且つ節水部１ａの軸線ａ上の位置に形成されている。
【００２５】
更に、前記二本の通水孔１ｄは、同一の内径に形成されており、節水部１ａの軸線ａと平行で且つ節水部１ａの軸線ａの周りに等角度間隔で配設されている。そのため、二本の通水孔１ｄの流入側の開口は、円錐状の突部１ｃの表面において同心円状に１８０°の間隔で配置され、又、二本の通水孔１ｄの流出側の開口は、節水部１ａの流出側端面において同心円状に１８０°の間隔で且つ前記流入側の開口に対向する状態で配置された格好になっている。
【００２６】
尚、第１の実施形態に於いては、節水部１ａの直径は１２ｍｍに、フランジ部１ｂの外径は１５．５ｍｍに、各通水孔１ｄの内径は５ｍｍに、円錐状の突部１ｃの基端側の外径は９．５ｍｍに、円錐状の突部１ｃの表面の傾斜角度は２０°に、節水部１ａの厚みは７ｍｍにそれぞれ設定されている。
【００２７】
このように構成された節水具１を使用する場合には、台所や洗面所等の水栓の内部、浴室のシャワーヘッドの根元部分の内部、給水用の配管の内部等に組み込めば良い。例えば、節水具１を一般的な構造の水栓２に使用する場合には、図４に示す如く、節水具１を水栓２の水栓本体２ａとスパウト２ｂとの接続部に組み込めば良い。
【００２８】
而して、上述した構成の節水具１を組み込んだ水栓２によれば、水栓２を開くと、水が節水具１の二本の通水孔１ｄを通過し、これにより水の流速が上がって従来と変わらない使用感が得られると共に、水量が抑制されて十分な節水効果が得られることになる。
又、前記節水具１は、節水部１ａの流入側端面に円錐状の突部１ｃを形成し、当該突部１ｃの表面に通水孔１ｄの流入側の開口を形成しているため、水が通水孔１ｄ内に流入する際、一部分の水が突部１ｃの傾斜した円錐面に衝突することで減速され、衝突音や衝撃が小さくなって通水時の雑音や衝撃を低減することができる。
更に、この節水具１は、節水部１ａの流入側端面に形成した円錐状の突部１ｃの表面に通水孔１ｄの流入側の開口を形成しているため、仮に通水孔１ｄの内径よりも大きな赤錆や水垢等の異物が流れて来ても、この異物は前記突部１ｃに留まらず、突部１ｃからずり落ちて突部１ｃの基端側に滞留することになる。その結果、この節水具１は、通水孔１ｄの流入側の開口が赤錆等の異物で塞がれ難くなり、吐出水量が著しく低下したり、或いは水が出なくなる等のトラブルの発生が少なくなる。
【００２９】
図５及び図６は本考案の第２の実施形態に係る節水具１を示し、当該節水具１は、図１に示す節水具１と同じ材質の金属材やプラスチック材により一体的に形成されており、円柱状の節水部１ａと、節水部１ａの流入側外周面に一体的に形成されたフランジ部１ｂと、節水部１ａの流入側端面に一体的に形成されて節水部１ａの上流側へ突出する突部１ｃとから成り、前記突部１ｃ及び節水部１ａに、突部１ｃの表面から節水部１ａの流出側端面に向けて二本の貫通状の通水孔１ｄを形成したものである。この節水具１は、二本の通水孔１ｄを節水部１ａの軸線ａに対して傾斜させたものであり、節水部１ａ、フランジ部１ｂ及び突部１ｃの構成は図１に示す節水具１のものと同様構造に構成されている。
【００３０】
前記二本の通水孔１ｄは、同一の内径に形成されており、節水部１ａの軸線ａの周りに等角度間隔で且つ末広がりに配設されている。そのため、二本の通水孔１ｄの流入側の開口は、円錐状の突部１ｃの表面において同心円状に１８０°の間隔で且つ節水部１ａの軸線ａに近接する状態で配置され、又、二本の通水孔１ｄの流出側の開口は、節水部１ａの流出側端面において同心円状に１８０°の間隔で且つ節水部１ａの軸線ａから離間する状態で配置された格好になっている。
【００３１】
尚、第２の実施形態に於いては、節水部１ａの直径は１１ｍｍに、フランジ部１ｂの外径は１５．５ｍｍに、各通水孔１ｄの内径は４ｍｍに、円錐状の突部１ｃの基端側の外径は７．５ｍｍに、円錐状の突部１ｃの表面の傾斜角度は２０°に、節水部１ａの厚みは７ｍｍにそれぞれ設定されている。
【００３２】
上述した構成の節水具１は、図１に示す節水具１と同様の作用効果を奏することができる。然も、この節水具１は、二本の通水孔１ｄが末広がり状に形成されているため、各通水孔１ｄから吐出された水が広がってスパウト２ｂ等の内壁面に沿って流れるので、水の流れが乱れることが少なく整流効果があり、雑音や振動が発生しない。又、水量が通水孔１ｄによって抑制されているにも拘らず、視覚的にその水量の少なさを感じさせない。
【００３３】
図７及び図８は本考案の第３の実施形態に係る節水具１を示し、当該節水具１は、図１に示す節水具１と同じ材質の金属材やプラスチック材により一体的に形成されており、円柱状の節水部１ａと、節水部１ａの流入側外周面に一体的に形成されたフランジ部１ｂと、節水部１ａの流入側端面に一体的に形成されて節水部１ａの上流側へ突出する突部１ｃとから成り、前記突部１ｃ及び節水部１ａに、突部１ｃの表面から節水部１ａの流出側端面に向けて二本の貫通状の通水孔１ｄを形成したものである。この節水具１は、二本の通水孔１ｄを節水部１ａの軸線ａに対して傾斜させると共に、節水部１ａの円周方向にねじったものであり、節水部１ａ、フランジ部１ｂ及び突部１ｃの構成は図１に示す節水具１のものと同様構造に構成されている。
【００３４】
前記二本の通水孔１ｄは、同一の内径に形成されており、節水部１ａの軸線ａの周りに等角度間隔で且つ末広がりに配設されていると共に、各通水孔１ｄの流入側の開口と流出側の開口とが突部１ｃ及び節水部１ａの円周方向で且つ同じ方向へずれて配置されている。そのため、二本の通水孔１ｄの流入側の開口は、円錐状の突部１ｃの表面において同心円状に１８０°の間隔で且つ節水具１の軸線ａに近接する状態で配置され、又、二本の通水孔１ｄの流出側の開口は、節水部１ａの流出側端面において同心円状に１８０°の間隔で且つ節水部１ａの軸線ａから離間すると共に、節水部１ａの円周方向へずれた状態で配置された格好になっている。
【００３５】
尚、第３の実施形態に於いては、節水部１ａの直径は１１ｍｍに、フランジ部１ｂの外径は１５．５ｍｍに、各通水孔１ｄの内径は２．８ｍｍに、円錐状の突部１ｃの基端側の外径は７．５ｍｍに、円錐状の突部１ｃの表面の傾斜角度は２０°に、節水部１ａの厚みは７ｍｍに、各通水孔１ｄのねじれ角度は２０°にそれぞれ設定されている。
【００３６】
上述した構成の節水具１は、図１に示す節水具１と同様の作用効果を奏することができる。然も、この節水具１は、二本の通水孔１ｄが末広がり状で且つ同じ方向へねじられた状態で形成されているため、各通水孔１ｄから吐出された水がねじられて螺旋状の水流となるので、雑音の発生がない。又、水量が通水孔１ｄによって抑制されているにも拘らず、水の拡散をスパウト２ｂ内等で十分に行うことができるので、視覚的にその水量の少なさを感じさせない。
【００３７】
図９及び図１０は本考案の第４の実施形態に係る節水具１を示し、当該節水具１は、図１に示す節水具１と同じ材質の金属材やプラスチック材により一体的に形成されており、円柱状の節水部１ａと、節水部１ａの流入側外周面に一体的に形成されたフランジ部１ｂと、節水部１ａの流入側端面に一体的に形成されて節水部１ａの上流側へ突出する突部１ｃとから成り、前記突部１ｃ及び節水部１ａに、突部１ｃの頂部から節水部１ａの流出側端面に向けて一本の貫通状の通水孔１ｄを形成したものである。この節水具１は、節水部１ａの軸線ａ位置に突部１ｃの頂部から節水部１ａの流出側端面に向けて通水孔１ｄを一本だけ形成したものであり、節水部１ａ、フランジ部１ｂ及び突部１ｃの構成は図１に示す節水具１のものと同様構造に構成されている。
【００３８】
尚、第４の実施形態に於いては、節水部１ａの直径は１１ｍｍに、フランジ部１ｂの外径は１５．５ｍｍに、通水孔１ｄの内径は８ｍｍに、円錐状の突部１ｃの基端側の外径は１２ｍｍに、円錐状の突部１ｃの表面の傾斜角度は２０°に、節水部１ａの厚みは７ｍｍにそれぞれ設定されている。
【００３９】
上述した構成の節水具１も、図１に示す節水具１と同様の作用効果を奏することができる。
【００４０】
尚、図１乃至図８に示す第１、第２及び第３の実施形態に於いては、何れも突部１ｃ及び節水部１ａに、突部１ｃの表面から節水部１ａの流出側端面に向けて二本の貫通状の通水孔１ｄを形成したが、他の実施形態に於いては、図示していないが、突部１ｃ及び節水部１ａに、突部１ｃの表面から節水部１ａの流出側端面に向けて三本又は四本の貫通状の通水孔１ｄを形成しても良い。この場合、各通水孔１ｄは、節水部１ａの円周方向に等角度間隔で配設されていることは勿論である。
【００４１】
図１乃至図１０に示す第１、第２、第３及び第４の実施形態に於いては、突部１ｃの形状を円錐状としたが、他の実施形態に於いては、図示していないが、突部１ｃの形状を半球状としても良い。
【００４２】
図１乃至図１０に示す第１、第２、第３及び第４の実施形態に於いては、突部１ｃ及び節水部１ａに真っ直ぐなストレートの通水孔１ｄを形成したが、他の実施形態に於いては、図示していないが、流入側から流出側へ向かって内径が漸次大きくなるテーパ状の通水孔１ｄを形成しても良い。
【００４３】
図５に示す第２の実施形態に於いては、突部１ｃ及び節水部１ａに内径が４ｍｍの二本の通水孔１ｄを形成したが、通水孔１ｄの内径はこれ限定されるものではない。例えば、突部１ｃ及び節水部１ａに内径が３ｍｍ又は３．５ｍｍの二本の通水孔１ｄを形成しても良い。
【００４４】
図７に示す第３の実施形態に於いては、突部１ｃ及び節水部１ａに内径が２．８ｍｍの二本の通水孔１ｄを形成したが、通水孔１ｄの内径はこれ限定されるものではない。例えば、突部１ｃ及び節水部１ａに内径が１．８ｍｍ、２．０ｍｍ、２．２ｍｍ又は２．５ｍｍの二本の通水孔１ｄを形成しても良い。
【００４５】
図１乃至図１０に示す第１、第２、第３及び第４の実施形態に於いては、節水部１ａの直径を１１ｍｍ又は１２ｍｍに、フランジ部１ｂの外径を１５．５ｍｍに、円錐状の突部１ｃの基端側の外径を７．５ｍｍ、９．５ｍｍ又は１２ｍｍに、円錐状の突部１ｃの表面の傾斜角度を２０°に、節水部１ａの厚みを７ｍｍにそれぞれ設定したが、節水具１の各寸法はこれらに限定されるものではなく、節水具１の組み込み位置や節水量に応じて適宜に変更しても良いことは勿論である。
【符号の説明】
【００４６】
１は節水具、１ａは節水部、１ｂはフランジ部、１ｃは突部、１ｄは通水孔、ａは節水部の軸線。
【図１】
0003154586.tif 000003
【図２】
0003154586.tif 000004
【図３】
0003154586.tif 000005
【図４】
0003154586.tif 000006
【図５】
0003154586.tif 000007
【図６】
0003154586.tif 000008
【図７】
0003154586.tif 000009
【図８】
0003154586.tif 000010
【図９】
0003154586.tif 000011
【図１０】
0003154586.tif 000012
【図１１】
0003154586.tif 000013
【図１２】
0003154586.tif 000014